(57)【要約】      （修正有）【課題】粉末を高濃度に含有しても粉末による詰まりが生じにくく、さらに突発的に漏洩量が多くなることがないなど、製品安定性に優れるとともに、噴射したとき安定した噴射パターンが得られ、さらに噴射されずに容器内に残留する粉末量が少ないなど、製品性能に優れた粉末含有エアゾール製品を提供する。【解決手段】粉末および液化ガスを含有するエアゾール組成物と、耐圧容器にエアゾールバルブを固着したエアゾール容器とからなる粉末含有エアゾール製品であって、前記エアゾールバルブ３が、前記エアゾール容器１の底部に沈降している粉末層１１よりも上部にあり、かつエアゾール組成物１０の液相中１２において前記エアゾール容器の軸線に対して交差する方向に開口している導入孔５ａを有する。【選択図】図１ａ
2006312478.tif 000002
【特許請求の範囲】
【請求項１】
粉末および液化ガスを含有するエアゾール組成物と、
耐圧容器にエアゾールバルブを固着したエアゾール容器と
からなる粉末含有エアゾール製品であって、
前記エアゾールバルブが、前記エアゾール容器の底部に沈降している粉末層よりも上部にあり、かつエアゾール組成物の液相中において前記エアゾール容器の軸線に対して交差する方向に開口している導入孔を有する
ことを特徴とするエアゾール製品。
【請求項２】
前記導入孔がエアゾール容器の軸線と垂直に交差する方向に開口している請求項１記載のエアゾール製品。
【請求項３】
エアゾールバルブが、エアゾール組成物の粉末相中に設けられ、エアゾール容器の軸線方向に開口する下端導入孔を有する請求項１記載のエアゾール製品。
【請求項４】
エアゾールバルブが、エアゾール組成物の気相中に開口する気相導入孔を有する請求項１記載のエアゾール製品。
【請求項５】
前記導入孔の断面積が０．０５〜５ｍｍ2であり、下端導入孔の断面積が０．１〜１０ｍｍ2である請求項１または２記載のエアゾール製品。
【請求項６】
導入孔／下端導入孔の断面積比が０．０１〜２である請求項５記載のエアゾール製品。
【請求項７】
前記エアゾール組成物中に粉末を０．５〜２０重量％、液化ガスを４０〜９７重量％含有する請求項１、２または３記載のエアゾール製品。
【請求項８】
前記エアゾール組成物の液相と粉末との比重差が０．５以上である請求項１、２または３記載のエアゾール製品。
【発明の詳細な説明】
【技術分野】
【０００１】
本発明は粉末含有エアゾール製品に関する。さらに詳しくは、粉末を高濃度に含有しても粉末により詰まりが生じにくく、さらに突発的に漏洩量が多くなることがないなど、製品安定性に優れるとともに、噴射したとき安定した噴射パターンが得られ、さらに噴射されずに容器内に残留する粉末量が少ないなど、製品性能に優れた粉末含有エアゾール製品に関する。
【背景技術】
【０００２】
制汗剤や傷薬などの粉末を含有するエアゾール製品において、容器を立てた状態で噴射する場合（以下、「正立仕様」という）、特許文献１の図３に示すようにエアゾールバルブの下部にディップチューブ（チューブ）を装着しており、ディップチューブの下端開口部（導入孔）はエアゾール容器の軸線下方に開口している。粉末含有エアゾール製品を使用しないとき、すなわち静置した状態では容器底部に粉末が沈降して粉末層を形成するが、エアゾール組成物によっては粉末が固くケーキングする場合がある。前記開口部が粉末層中にあるとディップチューブの開口部や通路内で粉末がケーキングして噴射できなくなる問題があるため、開口部は粉末層よりも上方に位置するように設計している。そのため、エアゾール組成物が少なくなって開口部が気相中に露出すると、液化ガスのみ噴射されて容器内に残留する粉末量が多くなる問題がある。
【０００３】
また粉末を含有するエアゾール製品は、噴射する前に上下に振るなどしてエアゾール組成物を攪拌し、粉末が均一に分散した状態で噴射している。しかし、金属製のエアゾール容器は不透明であるため、使用者がエアゾール容器内の様子（粉末が均一に分散しているか否か）を確認することができず、このとき粉末の分散が不充分である場合は粉末が大きな塊のまま使用されてエアゾールバルブのステム孔や噴射部材の噴射孔で詰まる問題がある。また、噴射によりステム孔付近に付着した粉末がステムラバーの内径面との間で挟まれるとこの部分に隙間が生じ、突発的に漏洩量が多くなる問題がある。さらに、エアゾール組成物中に粉末を多く含有していると噴射の拡がり（噴射パターン）が安定しない問題がある。
【０００４】
一方、特許文献２には、導出管（ディップチューブ）の長さ方向中間部に穴を設けたエアゾール式消火具が開示されている。該エアゾール式消火具は液体系消火薬剤とフロン系消火剤を含有しており、両者の比重の違いにより均一に混合し難い内容物であっても、前記穴を設けることによって均一に混合して噴射できることが記載されている。
【０００５】
しかし、前記液体系消火薬剤は炭酸カリウムなどの水溶液が例示されており、実施例で使用されている炭酸カリウム３５％水溶液の比重（２０℃）は１．２５である。
【０００６】
一方、フロン系消火剤として例示されているフロンの比重は１．３３〜１．４９（フロン１１が１．４９、フロン１２が１．３３、フロン１１４が１．４７）であり、両者の比重差は最大でも０．２４である。
【０００７】
さらに、特許文献２は粉末を含有するものではなく、前述の粉末を含有したときの前記問題点を見出すことはできない。
【０００８】
【特許文献１】特開平１１−３００２４２号公報
【特許文献２】特開昭６０−１５３８７９号公報
【発明の開示】
【発明が解決しようとする課題】
【０００９】
本発明の目的は、粉末を高濃度に含有しても粉末による詰まりが生じない、さらに突発的に漏洩量が多くなることがないなど、製品安定性に優れるとともに、噴射したとき安定した噴射の拡がり（噴射パターン）が得られ、さらに噴射されずに容器内に残留する粉末量が少ないなど、製品性能に優れた粉末含有エアゾール製品を提供することである。
【課題を解決するための手段】
【００１０】
本発明の粉末含有エアゾール製品は、粉末および液化ガスを含有するエアゾール組成物と、
耐圧容器にエアゾールバルブを固着したエアゾール容器と
からなる粉末含有エアゾール製品であって、
前記エアゾールバルブが、前記エアゾール容器の底部に沈降している粉末層よりも上部にあり、かつエアゾール組成物の液相中において前記エアゾール容器の軸線に対して交差する方向に開口している導入孔を有する
ことを特徴としている。
【００１１】
また、前記導入孔がエアゾール容器の軸線と垂直に交差する方向に開口していることが好ましい。
【００１２】
また、エアゾールバルブが、エアゾール組成物の粉末相中に設けられ、エアゾール容器の軸線方向に開口する下端導入孔を有することが好ましい。
【００１３】
また、エアゾールバルブが、エアゾール組成物の気相中に開口する気相導入孔を有することが好ましい。
【００１４】
また、前記導入孔の断面積が０．０５〜５ｍｍ2であり、下端導入孔の断面積が０．１〜１０ｍｍ2であることが好ましい。
【００１５】
前記導入孔／下端導入孔の断面積比が０．０１〜２であることが好ましい。
【００１６】
前記エアゾール組成物中に、粉末を０．５〜２０重量％、液化ガスを４０〜９７重量％含有することが好ましい。
【００１７】
前記エアゾール組成物の液相と粉末との比重差が０．５以上であることが好ましい。
【発明の効果】
【００１８】
本発明によれば、金属製のエアゾール容器が用いられ、使用者がエアゾール容器内の様子を確認することができなくても、エアゾールバルブのステム孔や噴射部材の噴射孔で詰まるという問題を回避することができ、噴射によりステム孔付近に付着した粉末がステムラバーの内径面との間で挟まれて生じる突発的な漏洩がなく、エアゾール組成物中に粉末を多く含有していても安定した噴射の拡がり（噴射パターン）が得られ、噴射されずに容器内に残留する粉末量を少なくできる粉末含有エアゾール製品を提供することができる。
【発明を実施するための最良の形態】
【００１９】
本発明の粉末含有エアゾール製品は、粉末、液化ガスを含有するエアゾール組成物と、耐圧容器にエアゾールバルブを固着したエアゾール容器とからなり、前記エアゾールバルブがエアゾール容器の底部に沈降している粉末層よりも上部にあり、かつ、エアゾール組成物の液相中においてエアゾール容器の軸線に対して交差する方向に開口している導入孔を有することを特徴としている。
【００２０】
図１ａに示す粉末含有エアゾール製品は、耐圧容器１と該耐圧容器１の開口部２に固着されるエアゾールバルブ３とからなるエアゾール容器と、エアゾールバルブ３に装着した噴射部材４と、エアゾール容器内部に充填される粉末と液化ガスとを含有するエアゾール組成物１０とからなる。
【００２１】
前記耐圧容器１は、アルミニウムやブリキなどの金属板や円盤状のものをインパクト加工または絞りしごき加工などによって有底筒状に形成し、さらにネッキング加工、カーリング加工によって肩部１ａ、ビード部１ｂを形成している。なお、耐圧容器としては、ブリキや錫−ニッケル系鋼板などの金属板を円筒状にした胴部に、底部と、ビード部を形成した目金とを二重巻き締めにより固着した３ピース缶、あるいは２ピース缶を用いてもよく、さらに、耐圧ガラスや合成樹脂など、耐圧製を有する他の材質から製造されたものであってもよい。
【００２２】
前記エアゾールバルブ３は、耐圧容器１のビード部１ｂにガスケット３ｆを介して固着されるマウンティングカップ３ａと、マウンティングカップ３ａの中央部に保持されるハウジング３ｂと、ハウジング３ｂ内にスプリング３ｃと共に収容されスプリング３ｃにより常時上方に付勢されるステム３ｅと、ステムラバー３ｄと、ハウジングの下部に装着されエアゾール容器内とエアゾールバルブ内とを連通するチューブ５とからなる。ステムラバー３ｄの内径面にステム３ｅが挿入され、ステム３ｅは、スプリング３ｃの反発力により上向きに付勢されている状態（噴射していない状態）でステムラバーの内径面でステム孔３ｉを覆うか、あるいはステム孔３ｉより下方の外周面全体を覆いエアゾール容器１内部を密封する。なおハウジング３ｂには、底部にチューブ５とハウジング３ｂ内部とを連通する連通孔３ｈと、側面にエアゾール容器の気相部に開口する気相導入孔３ｇとが設けられている。
【００２３】
前記チューブ５は上部がハウジング３ｂに装着され、下部は耐圧容器１の内底面付近にまで延びている。チューブ５は両端が開口した円筒状であり、下端の下端連通孔５ｂはエアゾール容器の軸線方向に開口し、下部の側面には前記軸線と垂直に交差する方向に開口する導入孔５ａが設けられている。なお導入孔５ａは前記軸線と交差するように設けることもできる。また、図１ｂおよび図１ｃに示されるように、両端が開口した筒状のチューブ５を用い、チューブ５の下部にエアゾール容器の軸線ＡＸと交差する方向に導入孔６ａ、６ｂを設けた流入部材６を装着したものを用いてもよい。この場合、導入孔６ａ、６ｂの大きさや開口する角度を調整しやすく、さらにチューブの下端に装着するだけでよいので製造が容易になる。導入孔５ａは１個設けただけのものでもよく、また複数個設けたものでもよい。また導入孔５ａは、未使用のエアゾール製品を静置した状態でエアゾール容器の底部に沈降している粉末層１１よりも上部に、かつエアゾール組成物の液相１２中に開口するように設けることが好ましく、具体的にはエアゾール容器の底部を０、ビード部１ｂに固着されたマウンティングカップ３ａの先端を１００としたときの底部から５〜２５％、好ましくは７〜２０％の位置で開口するように設けることが好ましい。５％よりも低い位置に設けた場合は大きな粉末をチューブ内に導入しやすくなり、突発的に漏洩量が多くなったり、安定した噴射パターンが得られにくくなる傾向がある。一方２５％よりも高い位置に設けた場合は内容物が少なくなると均一な組成で噴射しにくく、粉末の残量が多くなりやすい傾向がある。また導入孔５ａの断面積は０．０５〜５ｍｍ2、さらには０．１〜４ｍｍ2であり、下端導入孔５ｂの断面積は０．１〜１０ｍｍ2、さらには０．３〜８ｍｍ2であり、チューブ５内の通路５ｃの断面積は０．１〜１０ｍｍ2、さらには０．８ｍｍ2であることが好ましい。特に導入孔と下端導入孔との断面積比（導入孔／下端導入孔）が０．０１〜２、さらには０．０１５〜１である場合は、製品安定性が高く、かつ製品性能が高くなる。
【００２４】
前記気相導入孔３ｇは、ハウジング３ｂ内部とエアゾール容器の気相部１３とを常に連通しており、ステム孔３ｉが開放されていないときはハウジング３ｂ内部は液化ガスの気体で満たされている。ステム孔３ｉが開放されるとハウジング３ｂ底部の連通孔３ｈからエアゾール組成物の液体と粉末が、ハウジング３ｂ側面の気相導入孔３ｇから液化ガスの気体がそれぞれハウジング３ｂ内部に導入され、両者が混合された状態で大気中に噴射される。前記気相導入孔３ｇの断面積は０．０１〜０．８ｍｍ2、さらには０．０３〜０．５ｍｍ2であることが好ましい。また前記連通孔３ｈの断面積は０．０５〜４ｍｍ2、さらには０．１〜３．５ｍｍ2であることが好ましい。
【００２５】
前記噴射部材４は、ステム３ｅに装着するステム装着部４ａと、エアゾール組成物を外部に噴射する噴射孔４ｃと、ステム装着部４ａと噴射孔４ｃとを連通する噴射通路４ｂとを有する。噴射孔４ｃはストレート形状、テーパー状に拡がるフォーワードテーパー(forward taper)、テーパー状に狭まるリバーステーパー(reverse taper)いずれでもよく、噴射孔４ｃを備えたチップ４ｄの裏面にメカニカルブレークアップ(mechanical break up)機構（図示されず）を設けてもい。また噴射孔４ｃの断面積は０．０３〜０．６ｍｍ2、さらには０．０４〜０．４ｍｍ2であることが好ましい。
【００２６】
前記エアゾール組成物１０は、粉末と液化ガスを必須成分として含有しているが、エアゾール製品の目的や用途に応じて有効成分や油性成分、補助溶剤などを配合しても良い。
【００２７】
前記粉末は、有効成分、有効成分の補助剤、担体などとして作用する。前記粉末としては、たとえば、アルミニウムクロロハイドレート（比重１．３）、アラントインアルミニウムクロロハイドレート、硫酸アルミニウムカリウム、酸化亜鉛（比重３．８〜５．９）等の制汗剤；コーンスターチ、タルク（比重２．７〜２．８）、カオリン（比重２．２〜２．６）、ゼオライト、シリカ、ウンデシレン酸亜鉛、珪酸マグネシウム、マイカ（比重２．７〜３．４）、雲母チタン、酸化マグネシウム（比重２．８〜３．６）、酸化亜鉛（比重３．８〜５．９）、酸化チタン（比重３．９〜４．２）、炭酸マグネシウム（比重２．６〜２．９）、炭酸カルシウム、ナイロン６、ナイロン６６、ナイロン１２等のポリアミド、ポリエチレン、ポリプロピレン、ポリスチレン、ポリカーボネート、ポリエステル、アクリル樹脂、フッ素樹脂、シリコーン樹脂などがあげられ、単独でまたは２種以上併用して用いることができる。さらに粉末として、シリカやゼオライトなどの多孔性粉末に、酸化チタンや銀などの機能性成分を担持させたものを用いても良い。
【００２８】
前記粉末は、平均粒子径が１０〜８０μｍ、さらには１５〜５０μｍであることが好ましい。前記粉末の平均粒子径が１０μｍ未満の場合は、長期間静置したときなどの場合に粉末がエアゾール容器１底部で固くケーキングし易くなり、再分散性が悪く均一な組成物を噴射し難くなる。さらに皮膚などの噴射対称面で飛散しやすくなり、付着性が悪く、粉末の効果が充分発揮できない。一方８０μｍを越えるとエアゾールバルブ３や噴射部材４の通路４ｂや噴射孔４ｃで詰まりやすく、またステム３ｅとステムラバー３ｄとの間に挟まりやすく漏洩量が多くなる。さらに噴射の途中で粉末が沈降しやすくなり、均一な組成物を噴射し難くなる。
【００２９】
前記粉末の配合量は、エアゾール組成物中０．５〜２０重量％、さらには１．０〜１５重量％であることが好ましい。粉末の配合量が０．５重量％未満の場合は、粉末の効果が得られにくく、所望の効果を得るためには多量に噴射する必要がある。一方２０重量％を越えるとエアゾールバルブ３や噴射部材４の通路４ｂや噴射孔４ｃで堆積したり詰まりやすくなり、またステム３ｅとステムラバー３ｄとの間に挟まりやすくなり漏洩量が多くなる。特に、エアゾールバルブ３として図２に示されるような定量噴射型バルブを用いる場合は、粉末貯留室として機能する貯留部Ｒ（すなわち定量室）内の粉末量が多くなるため粉末が貯留部Ｒ（定量室）内でケーキングしやすく、またエアゾールバルブ３の作動性が悪くなり定量性が悪くなりやすい。
【００３０】
前記有効成分としては、たとえば、ラウリル酸メタクリレート、安息香酸メチル、フェニル酢酸メチル、ゲラニルクロトレート、ミリスチン酸アセトフェノン、酢酸ベンジル、プロピオン酸ベンジルなどの消臭剤；パラオキシ安息香酸エステル、安息香酸ナトリウム、ソルビン酸カリウム、フェノキシエタノール、塩化ベンザルコニウム、塩化ベンゼトニウム、塩化クロルヘキシジン、感光素、パラクロルメタクレゾールなど殺菌剤；ｌ−メントール、カンフルなどの清涼剤；アラントインヒドロキシアルミニウム、クエン酸、乳酸、タンニン酸などの収斂剤；アラントイン、グリチルレチン酸、グリチルレチン酸ジカリウム、アズレンなどの抗炎症剤；塩酸ジブカイン、塩酸テトラカイン、リドカイン、塩酸リドカインなどの局所麻酔剤；硝酸ミゴナゾール、硝酸オキシコナゾール、硝酸スルコナゾール、硝酸エコナゾール、塩酸ブテナフィン、塩酸テルビナフィン、クロトリマゾールなどの抗真菌剤、クロタミトン、カンフルなどの鎮痒剤；ジフェンヒドラミン、塩酸ジフェンヒドラミン、マレイン酸クロルフェミラミンなどの抗ヒスタミン剤、サリチル酸メチル、ケトプロフェン、インドメタシン、フェルビナク、ピロキシカム、などの消炎鎮痛剤；Ｎ、Ｎ−ジエチル−ｍ−トルアミド（ディート）、カプリル酸ジエチルアミドなどの害虫忌避剤；パラアミノ安息香酸エステル、サリチル酸オクチル、サリチル酸フェニル、パラメトキシケイ皮酸イソプロピル、パラメトキシケイ皮酸オクチル、パラメトキシケイ皮酸２−エチルヘキシル、２，４−ジヒドロキシベンゾフェノン、２−ヒドロキシ−４−メトキシベンゾフェノンなどの紫外線吸収剤；グリシン、アラニン、ロイシン、イソロイシン、セリン、スレオニントリプトファン、シスチン、システイン、アスパラギン酸、グルタミン酸などのアミノ酸；レチノール、パルミチン酸レチノール、ニコチン酸ベンジル、ニコチン酸アミド、ニコチン酸ｄｌ−α−トコフェロール、ｄｌ−α−トコフェロール、酢酸ｄｌ−α−トコフェロール、パントテン酸、ビオチンなどのビタミン類；エラストラジオール、エチニルエストラジオールなどのホルモン類；α−トコフェロール、ジブチルヒドロキシトルエン、ブチルヒドロキシアニソールなどの酸化防止剤；尿素、ヒアルロン酸、ケラチン、レシチン、グリセリン、１，３−ブチレングリコール、プロピレングリコールなどの保湿剤；ドクダミエキス、オウバクエキス、シャクヤクエキス、ヘチマエキス、キナエキス、サクラソウエキス、バラエキス、レモンエキス、アロエエキス、ショウブ根エキス、ユーカリエキス、セージエキス、茶エキス、海藻エキス、プラセンタエキス、シルク抽出液などの抽出液；合成香料、天然香料などの香料などがあげられる。
【００３１】
前記有効成分を配合する場合の配合量は、エアゾール組成物中０．０５〜３０重量％、さらには０．１〜２０重量％であることが好ましい。前記有効成分の配合量が０．０５重量％未満の場合は噴射物中の有効成分濃度が低くなり、所望の効果を得るためには多く噴射する必要がある。一方３０重量％を越えると噴射物中の有効成分濃度が高くなり、使用上限を超えて噴射しやすくなる
前記油性成分は、粉末がエアゾール組成物中で分散しやすくする分散剤として、また粉末を皮膚などの噴射対処面に付着しやすくする付着剤として用いられる。
【００３２】
前記油性成分としては、たとえば、ソルビタン脂肪酸エステル、グリセリン脂肪酸エステル、ポリ（ジ、トリ、テトラ、ペンタ、ヘキサ、デカなど）グリセリン脂肪酸エステル、ポリオキシエチレンソルビタン脂肪酸エステル、ポリオキシエチレングリセリン脂肪酸エステル、ポリエチレングリコール脂肪酸エステル、ポリオキシエチレンアルキルエーテル、ポリオキシエチレンポリオキシプロピレンアルキルエーテル、ポリオキシエチレンヒマシ油・硬化ヒマシ油、ポリオキシエチレンラノリンアルコール、ポリオキシエチレンアルキルアミン、ポリオキシエチレン脂肪酸アミド、脂肪酸アルキロールアミド、アルキルポリグルコシド、ポリオキシエチレン・メチルポリシロキサン共重合体、ポリオキシプロピレン・メチルポリシロキサン共重合体、ポリ（オキシエチレン・オキシプロピレン）・メチルポリシロキサン共重合体などの界面活性剤；ラウリルアルコール、セチルアルコール、ステアリルアルコール、ミリスチルアルコール、オレイルアルコール、イソステアリルアルコールなどの高級アルコール；スクワラン、スクワレン、流動パラフィン、イソパラフィンなどの炭化水素；ラウリン酸、ミリスチン酸、パルミチン酸、ステアリン酸、オレイン酸などの高級脂肪酸；メチルポリシロキサン、デカメチルテトラシロキサン、オクタメチルシクロテトラシロキサン、メチルフェニルポリシロキサンなどのシリコーンオイル；ミリスチン酸イソプロピル、オクタン酸セチル、ミリスチン酸オクチルドデシル、パルミチン酸イソプロピル、フタル酸ジエチル、フタル酸ジエトキシエチル、コハク酸ジエトキシエチルなどのエステル油；ミツロウ、ラノリン、カンデリラロウ、パラフィンワックスなどのロウ（ワックス類）；ツバキ油、トウモロコシ油、オリーブ油、ヒマシ油、サフラワー油、ホホバ油、ヤシ油などの油脂；などがあげられる。
【００３３】
前記油性成分を配合する場合の配合量は、エアゾール組成物中０．０１〜２０重量％、さらには０．０５〜１５重量％であることが好ましい。前記油性成分の配合量が０．０１重量％未満の場合は、油分を配合する分散効果や付着効果などが得られにくい。一方２０重量％を越えるとべたつき感が強くなる、乾燥性が悪くなるなど、使用感が低下しやすい。
【００３４】
前記補助溶剤は、粉末を分散させる溶剤の一部として、噴射個所の乾燥性を調整するなどの目的で用いられる。前記溶剤としては、たとえば、エタノール、イソプロパノールなどの低級アルコール、精製水、イオン交換水などの水、プロピレングリコール、１，３−ブチレングリコール、グリセリンなどの多価アルコールなどがあげられる。
【００３５】
前記補助溶剤を配合する場合の配合量は、エアゾール組成物中１〜５０重量％、さらには５〜４０重量％であることが好ましい。前記補助溶剤の配合量が１重量％未満の場合は、補助溶剤を配合する効果が得られにくい。一方５０重量％を越えると乾燥性が悪くなるなど、使用感が低下しやすい。
【００３６】
前記液化ガスは、エアゾール組成物の噴射剤として作用する。前記液化ガスとしては、２０℃での比重が０．５〜０．７であるものが好ましく、たとえば、プロパン（比重０．５０）、ノルマルブタン（比重０．５８）、イソブタン（比重０．５６）、ノルマルペンタン（比重０．６３）、イソペンタン（比重０．６２）、ジメチルエーテル（比重０．６６）およびこれらの混合物などがあげられる。
【００３７】
前記液化ガスの配合量は、エアゾール組成物中４０〜９７重量％、さらには５０〜９５重量％であることが好ましい。前記液化ガスの配合量が４０重量％未満の場合は、粉末の残量が多くなりやすい傾向がある。一方９７重量％を越えると飛散しやすく使用者が吸引しやすくなるとともに、冷却効果が強くなりすぎ、使用感が悪くなる。
【００３８】
本発明のエアゾール製品は、たとえば、粉末と、有効成分や油性成分、補助溶剤などの液体を耐圧容器１に充填し、次いで液化ガスをアンダーカップ充填してエアゾールバルブ３を耐圧容器１の開口部２に固着し、さらにエアゾールバルブ３に噴射部材４を装着することにより製造することができる。なお、液体が２成分以上である場合は予め混合したものを用いることができ、さらに粉末を分散させたものを用いてもよい。また、油性成分と水のように相溶しない複数の成分を用いる場合は別々に充填することもできる。
【００３９】
なお、本発明でいうエアゾール組成物の液相とは、有効成分や油性成分、補助溶剤、液化ガスなどエアゾール容器内で液体である成分の混合物であり、その比重は各配合成分の比重と配合量により算出した値である。本発明のエアゾール製品では、エアゾール組成物の液相の比重と粉末の比重との差が０．５以上、さらには０．６以上と大きく、長時間静置したときに粉末が容器底部で固く凝集しやすい場合であっても、突発的に漏洩量が多くなる、ステム孔や噴射孔などで詰まりが生じやすくなる、噴射されずに残留する粉末量が多くなるなどの問題が生じることなく、安定した噴射パターンが得られる。
【００４０】
このようにして得られるエアゾール製品は、まず噴射前にエアゾール製品を上下に数回振るなどして粉末をエアゾール組成物の液相中に分散させる。ついで噴射部材４を指で押し下げるなどして噴射操作することによりステム孔３ｉが開放されてエアゾール容器内部と大気とが連通し、エアゾール組成物はチューブ５の導入孔５ａおよび下端導入孔５ｂからチューブ５内の通路５ｃ、ハウジング３ｂの連通孔３ｈ、ステム孔３ｉを通り、噴射部材４の噴射孔４ｃから噴射される。本発明のエアゾール製品は、導入孔５ａがエアゾール容器の軸線ＡＸと垂直に交差する方向に開口しており、さらに粉末層１１の上部に、かつエアゾール組成物の液相中に開口するように位置していることから、噴射前の振とうが不充分で粉末が均一に分散していない状態、すなわち粉末の一部がケーキングなどにより固まり、大きい粒子の状態で存在しても、軸線と交差する方向からエアゾール組成物がチューブ内に導入されるため大きくなった粉末をチューブ５内に導入することがなく、エアゾールバルブ３や噴射部材４の噴射通路４ｂでの詰まりを防止することができると共に、粉末がステム孔３ｉ付近の表面とステムラバー３ｄ内径面との間に挟まれて突発的に漏洩量が多くなることを防止できる。さらに安定した噴射状態（噴射の拡がり）が得られる。また、下端導入孔を粉末層中にまで延長しても、前記導入孔の作用により詰まりや突発的な漏洩を防止できるため、粉末を最後まで噴射することができ、容器内に残存する粉末量を少なくすることができる。
【００４１】
図２に示すエアゾール製品は、耐圧容器１の開口部２が円筒状に開口しており、該開口部２にエアゾールバルブ３が固着されている。該エアゾールバルブ３は、有底筒状であり、フランジ部Ｆが耐圧容器１の開口部２の先端に保持され、筒部外周にリング状のガスケット３ｆを装着したマウンティングカップ３ａと、マウンティングカップ３ａの内部に保持される円筒状のハウジング上部３ｂ１と、ハウジング上部３ｂ１の下端に装着されハウジング上部３ｂ１との間に弁シール（シール材）３ｓを挟持するハウジング下部３ｂ２と、ハウジング下部３ｂ２に装着されるチューブ５と、マウンティングキャップ３ａの外周面全体を覆う有底筒状のカバーキャップ７とからなり、カバーキャップ７の下端外周を内側にカシメ付けることにより耐圧容器１に固着される。ハウジング上部３ｂ１には、粉末がハウジング上部３ｂ１から落下しないように粉末を貯留する粉末貯留室として機能する貯留部Ｒと、貯留部Ｒに溜まった粉末を攪拌するための攪拌部材Ａ（たとえば、貯留部Ｒ内を自由に移動しうるコイルバネ）が設けられている。
【００４２】
このようにして得られるエアゾール製品は、図1のエアゾール製品と同様に噴射部材４を指で押し下げることによりステム孔３ｉが開放されるが、ステム３ｅの下端が弁シール（シール材）３ｓの口部３ｓ１に挿入されてハウジング３ｂ内部とエアゾール容器１内部とを遮断するため、ハウジング３ｂ内部にあるエアゾール組成物１０’のみがステム孔３ｉを通り、噴射部材４の噴射孔４ｃから噴射される。噴射部材４の押し下げを止めるとステム３ｅがスプリング３ｃにより元の位置に戻されて弁シール（シール材）３ｓの口部３ｓ１が開放されるため、エアゾール組成物１０はチューブ５の導入孔５ａおよび下端導入孔５ｂからチューブ５内の通路５ｃ、ハウジング下部３ｂ２の連通孔３ｂ２ｃ、弁シール（シール材）３ｓの口部３ｓ１、ハウジング上部３ｂ１とステム下部外周との間を通りハウジング上部３ｂ１内に流入する。このとき、図１のエアゾール製品と同様に、エアゾール容器の軸線と交差する方向に開口した導入孔５ａの作用により、粒径の大きい粉末がハウジング内に導入されないため、詰まりや突発的な漏洩が発生しにくく、さらに安定した噴射パターンが得られる。さらに下端導入孔５ｂを粉末層中に設けて粉末の残量を少なくできる。
【実施例】
【００４３】
実施例１
アルミニウム製耐圧容器（満注量１００ｍｌ）と、表１に示すエアゾールバルブ１とからなるエアゾール容器に、粉末としてタルクを１．４ｇ（３．５重量％）、油性成分としてオクタメチルシクロテトラシロキサン（商品名：ＳＨ３４４、東レ・ダウコーニング・シリコーン（株）製、比重０．９５）を１．４ｇ（３．５重量％）、液化ガスとして液化石油ガス（ノルマルブタンとイソブタンの混合物、２０℃での比重が０．５７）を３７．２ｇ（９３重量％）を充填し、粉末含有エアゾール製品を製造した。なお、エアゾール組成物の液相の比重は０．５８、粉末（タルク）の比重は２．７であり、両者の比重差は２．１２である。
【００４４】
＜エアゾールバルブ１＞
【００４５】
【表１】
2006312478.tif 000003
【００４６】
なお導入孔は、エアゾール製品を静置して粉末が沈降している粉末層よりも上部に開口するように底部からエアゾール容器の１５％の位置に設けており、下端導入孔は粉末層中に開口するように底部からエアゾール容器の３％の位置に設けている。
【００４７】
実施例２
導入孔がφ２．０（断面積３．１４ｍ2）である以外はエアゾールバルブ１と同じエアゾールバルブ２を用いて、実施例１と同様にして粉末含有エアゾール製品を製造した。
【００４８】
比較例１
導入孔を設けず、下端導入孔が粉末層よりも上部に開口するように底部からエアゾール容器の１５％の位置で開口するチューブである以外はエアゾールバルブ１と同じエアゾールバルブ３を用いて、実施例１と同様にして粉末含有エアゾール製品を製造した。
【００４９】
実施例３
タルクを２．８ｇ（７重量％）、油性成分としてオクタメチルシクロテトラシロキサンを２．８ｇ（７重量％）、液化ガスとして液化石油ガス（ノルマルブタンとイソブタンの混合物、２０℃での比重が０．５７）を３４．４ｇ（８６重量％）とした以外は実施例１と同様にして粉末含有エアゾール製品を製造した。なお、エアゾール組成物の液相の比重は０．５９、粉末（タルク）との比重差は２．１１である。
【００５０】
実施例４
エアゾールバルブ２を用いた以外は実施例３と同様にして粉末含有エアゾール製品を製造した。
【００５１】
比較例２
エアゾールバルブ３を用いた以外は実施例３と同様にして粉末含有エアゾール製品を製造した。
【００５２】
比較例３
導入孔を設けず、下端導入孔が粉末層中に開口するように底部からエアゾール容器の３％の位置で開口するチューブである以外はエアゾールバルブ１と同じエアゾールバルブ４を用いて、実施例３と同様にして粉末含有エアゾール製品を製造した。
【００５３】
実施例５
タルクを２．８ｇ（７重量％）、補助溶剤としてエタノールを１３．２ｇ（３３重量％）、液化ガスとして液化石油ガス（ノルマルブタンとイソブタンの混合物、２０℃での比重が０．５７）を２４ｇ（６０重量％）とした以外は実施例１と同様にして粉末含有エアゾール製品を製造した。なお、エアゾール組成物の液相の比重は０．６３であり、粉末（タルク）との比重差は２．０７である。
【００５４】
実施例６
エアゾールバルブ２を用いた以外は実施例５と同様にして粉末含有エアゾール製品を製造した。
【００５５】
比較例４
エアゾールバルブ３を用いた以外は実施例５と同様にして粉末含有エアゾール製品を製造した。
【００５６】
比較例５
エアゾールバルブ４を用いた以外は実施例５と同様にして粉末含有エアゾール製品を製造した。
【００５７】
試験方法
１．噴射残量
得られたエアゾール製品を２５℃に調整した恒温水槽中に１時間保持した後、噴射できなくなるまで１秒間ずつ繰り返し噴射し、エアゾール容器内部に残っている残量を測定した。なお、試験に用いた製品は各５本であり、平均値を算出した。
【００５８】
２．漏洩試験
得られたエアゾール製品を、５℃に調整した恒温室内で１日間保存し１秒間噴射→重量測定（ｍ１）→４５℃に調整した恒温室内で５日間保存→重量測定（ｍ２）、を１サイクルとして、漏洩量（ｍ１−ｍ２）を測定した。試験に用いた製品は各１０本であり、突発的に漏洩量が多くなった（平均値の１．５倍以上）試験品の有無を確認した。
＜評価基準＞
○：突発的に漏洩量が多くなった試験品は認められなかった。
△：突発的に漏洩量が多くなった試験品は１〜２本。
×：突発的に漏洩量が多くなった試験品が３〜５本。
××：突発的に漏洩量が多くなった試験品が６本以上。
【００５９】
３．噴射試験
漏洩試験において噴射したときの噴射状態を評価した。
【００６０】
試験に用いた製品は各１０本である。
＜評価基準＞
○：全て異常なく噴射できた。
△：噴射量の減少が認められる試験品があった。
×：最初噴射しないが、１０回噴射操作するまでに噴射する試験品があった。
××：１０回噴射操作しても噴射しない試験品があった。
【００６１】
４．噴射パターン
漏洩試験と同じ条件で保存した試験品を用い、エアゾール製品を固定して、黒色の紙を噴射孔までの距離が１５ｃｍで維持されるように一定速度で移動させながら噴射し、紙に付着した粉末の幅を評価した。
＜評価基準＞
○：幅の両端はほぼ直線状で平行である(図３参照)。
△：幅の両端は一部曲線状になっている部分もあるが他の部分は平行である(図４参照)。
×：幅の両端は曲線状であり、平行な部分が少ない(図５参照)。
【００６２】
試験結果を表２に示す。
【００６３】
【表２】
2006312478.tif 000004
【図面の簡単な説明】
【００６４】
【図１ａ】本発明の一実施の形態にかかわるエアゾール製品を示す説明図である。
【図１ｂ】本発明のエアゾール製品に適用される流入部材の一例を示す説明図である。
【図１ｃ】本発明のエアゾール製品に適用される流入部材の他の例を示す説明図である。
【図２】本発明の他の実施の形態にかかわるエアゾール製品を示す説明図である。
【図３】本発明の実施例にかかわるエアゾール製品の噴射パターンを示す図である。
【図４】比較例にかかわるエアゾール製品の噴射パターンを示す図である。
【図５】他の比較例にかかわるエアゾール製品の噴射パターンを示す図である。
【符号の説明】
【００６５】
１    耐圧容器
１ａ  肩部
１ｂ  ビード部
２    開口部
３    エアゾールバルブ
３ａ  マウンティングカップ
３ｂ  ハウジング
３ｃ  スプリング
３ｄ  ステムラバー
３ｅ  ステム
３ｆ  ガスケット
３ｇ  気相導入孔
３ｈ  連通孔
３ｉ  ステム孔
３ｓ  弁シール
４    噴射部材
４ａ  ステム装着部
４ｂ  噴射通路
４ｃ  噴射孔
４ｄ  チップ
５    チューブ
５ａ  導入孔
５ｂ  下端導入孔
５ｃ  通路
６    流入部材
６ａ  導入孔
６ｂ  導入孔
７    カバーキャップ
１０    エアゾール組成物
１１    粉末層
１２    液相
１３    気相
Ａ    攪拌部材
ＡＸ    軸線
Ｆ    フランジ部
Ｐ    噴射パターン
Ｒ    貯留部
【図１ａ】
2006312478.tif 000005
【図１ｂ】
2006312478.tif 000006
【図１ｃ】
2006312478.tif 000007
【図２】
2006312478.tif 000008
【図３】
2006312478.tif 000009
【図４】
2006312478.tif 000010
【図５】
2006312478.tif 000011